(57)【要約】【課題】絶縁接続体のパネル取付機器への結合および取外しが容易なパネル取付機器の配線接続装置を提供する。【解決手段】貫通孔内に前記配線の接続された圧着端子が挿入固定された絶縁接続体をパネル取付機器の端部に、その接続端子が前記貫通孔に挿入され前記圧着端子に接触されるように結合し、絶縁接続体に設けたリブ状のアームからなる係合アームの係止爪を機器の係合凹所に係合して結合するようにしてなるものにおいて、前記係合アームが前記絶縁接続体の外側にその前後方向に延び、その中間部付近で絶縁接続体に弾性的に揺動可能に支持された1対のリブ状アームからなり、このリブ状アームの前端の内側に係止爪を突出形成するとともに、後端の外側に、内側への押圧により前端が外側に開くように係合アームを揺動させるための押圧部を形成する。【選択図】図１
2008300111.tif 000002
【特許請求の範囲】
【請求項１】
パネル取付機器に分離可能に結合される絶縁材で形成した絶縁接続体を設け、この絶縁接続体に、一端から前記機器の接続端子が挿入され、他端から前記機器に接続する配線の接続された圧着端子が挿入固定される貫通孔と、前記機器を外側から挟みこんで前記機器の係合凹所に係合する係止爪を先端に備えた１対の取り付け片とを形成し、前記貫通孔内に前記配線の接続された圧着端子を挿入固定した前記絶縁接続体を前記接続端子が前記貫通孔に挿入され前記圧着端子に接触されるように前記機器に装着し、前記取り付け片の係止爪を機器の係合凹所に係合させて前記機器と前記絶縁接続体とを結合し、前記機器の接続端子に前記配線を接続するようにしてなるパネル取付機器の配線接続装置において、前記取り付け片として、前記絶縁接続体の外側にその前後方向に延び、その中間部付近で絶縁接続体に揺動可能に弾性的に支持された1対のリブ状の係合アームを設け、このリブ状の係合アームの前端の内側に係止爪を突出形成するとともに、後端の外側に、内側への押圧によって前記係止爪を外側へ開くように係合アームを揺動させる押圧部を形成したことを特徴とするパネル取付機器の配線接続装置。
【発明の詳細な説明】
【技術分野】
【０００１】
この発明は、制御盤のパネルなどに取り付けて用いられる押ボタンスイッチなどのパネル取付機器の接続端子と配線とを接続し、感電防止のために接続部が露出しないようにこれを覆うことのできる配線接続装置に関する。
【背景技術】
【０００２】
制御盤等においてパネルに取り付けられた機器の接続端子と配線とを接続するための配線接続装置として、従来から特許文献１に記載されるような配線接続装置が知られている。
【０００３】
この従来の配線接続装置は、図７に示すように、パネル取付機器である押ボタンスイッチ１に結合する絶縁樹脂で形成された絶縁接続体６を備える。この絶縁接続体６は、前端に突出形成された取り付け片６ａを押ボタンスイッチ１のケース２に左右から嵌め合わせ、取り付け片６ａの係止爪６ｂをケース２に形成された係合凹所７に係合させて押ボタンスイッチ１に結合される。
【０００４】
絶縁接続体６には、押ボタンスイッチ１の複数の接続端子４を受け入れるように、前後に貫通する貫通孔８がこれと同じ配列で複数設けられている。各貫通孔８に、それぞれ後端側の開口から、配線５の接続された圧着端子１０を挿入し固定することにより、配線５を絶縁接続体６により保持することができる。この配線５を保持した絶縁接続体６を、押ボタンスイッチ１の接続端子４側からケース２に嵌合結合することにより、押ボタンスイッチ１の接続端子４がそれぞれ貫通孔８の前端側の開口から挿入され、内部に固定された圧着端子１０と接続され、接続端子４と配線５の接続が行われる。
【０００５】
このような配線接続装置を用いることにより、押ボタンスイッチ等のパネル取付機器の接続端子４に配線５を容易にかつ確実に接続することができるとともに、接続端子４と配線５との充電部となる接続部を絶縁接続体６により覆い、感電事故や短絡事故の発生を防止することができる。
【特許文献１】特開平１１−３５４１８１号公報
【発明の開示】
【発明が解決しようとする課題】
【０００６】
しかしながら、このような従来の配線接続装置においては、絶縁接続体６の前端に突出形成された取り付け片６ａの係止爪６ｂを押ボタンスイッチ等の機器１のケース２に形成した係合凹所７に係合させて絶縁接続体６をパネル取付機器１に結合するようにしているので、機器１のメンテナンス等のために、絶縁接続体６を取り外す場合は、取り付け片６ａと機器１のケース２との間にドライバ等の工具を挿入して、取り付け片６ａを外側へ押し拡げて取り付け片６ａと機器のケース２との係合を外す必要がある。機器１のパネルへの取付けが密集していない場合には、機器相互の間隔が広いので、このような取り外し作業を、比較的容易に行うことが可能であるが、機器１のパネルへの取付けが密集し、機器相互の間隔が狭い場合には、ドライバ等の工具の挿入そのものが困難となり、絶縁接続体６の取り外しが困難となる問題がある。
【０００７】
この発明は、このような問題点を解決するため、絶縁接続体の機器への結合および取外しが容易なパネル取付機器の配線接続装置を提供することを課題とするものである。
【課題を解決するための手段】
【０００８】
このような課題を解決するため、この発明は、パネル取付機器に分離可能に結合される絶縁材で形成した絶縁接続体を設け、この絶縁接続体に、一端から前記機器の接続端子が挿入され、他端から前記機器に接続する配線の接続された圧着端子が挿入固定された貫通孔と、その先端に前記機器を外側から挟みこんで前記機器に形成された係合凹所に係合する係止爪を備えた１対の取り付け片とを形成し、前記貫通孔内に前記配線の接続された圧着端子を挿入固定した前記絶縁接続体を前記接続端子が前記貫通孔に挿入され前記圧着端子に接触されるように前記機器に装着し、前記取り付け片の係止爪を機器の係合凹所に係合させて前記機器と前記絶縁接続体とを結合し、前記機器の接続端子に前記配線を接続するようにしてなるパネル取付機器の配線接続装置において、前記取り付け片として、前記絶縁接続体の外側にその前後方向に延び、その中間部付近で絶縁接続体に揺動可能に弾性的に支持された1対のリブ状の係合アームを設け、このリブ状の係合アームの前端の内側に係止爪を突出形成するとともに、後端の外側に、内側への押圧によって前記係止爪を外側へ開くように係合アームを揺動させる押圧部を形成したことを特徴とするものである。
【発明の効果】
【０００９】
この発明によれば、絶縁接続体により構成した配線接続装置における絶縁接続体の係合アームが前記絶縁接続体の外側に前後方向に形成され、かつその中間部付近で絶縁接続体の外壁に弾性的に揺動可能に結合支持された1対の条片として構成され、この各条片の前端の内側に前記機器に設けられた係合凹所に係合する係止爪を突出形成し、後端の外側に押圧部を形成するようにしているので、前記係合アームを構成する、条片の後端の押圧部を内側に押圧することにより、条片の前端を外側へ開き、係止爪の機器との係合を解くことができるので、配線接続装置のパネル取付機器への結合および取外しを容易に行うことができる。
【発明を実施するための最良の形態】
【００１０】
この発明の実施の形態を図に示す実施例について説明する。
【００１１】
図1ないし図６にこの発明の実施例を示す。図１は、この発明の実施例によるパネル取付機器と配線接続装置を後方から見た一部断面を含む分解斜視図、図２は、この発明の実施例による配線接続装置の構成の詳細を示すもので、（ａ）はその前面の平面図、（ｂ）は、（ａ）におけるＡ−Ａ線の縦断面図、（ｃ）は、後面の平面図、図３は、図２（ａ）におけるＢ−Ｂ線の縦断面図、図４は、この発明の実施例の外観を示すもので、（ａ）は、パネル取付機器としての押ボタンスイッチの正面図、（ｂ）は、配線接続装置の正面図、図５は、この発明の実施例による配線接続装置の動作説明用の縦断面図、図６は、この発明の実施例による配線接続装置の構成を示す一部断面を含む斜視図である。
【００１２】
これらの図において、１０は、パネル取付機器としての押しボタンスイッチ、２０は、配線接続装置、３０は、押しボタンスイッチに接続する配線、４０は、配線３０の先端に結合される圧着端子である。
【００１３】
押しボタンスイッチ１０は、スイッチ機構を内装したフレーム１１を図示しない制御盤等のパネルの取付穴に挿通し、スプリングワッシャ１４を介して締め付けナット１５により締め付けることによってパネルに取付けられる。フレーム１１の後端面から所要数の接続端子１６が引き出され、後端面の表面には接続端子の種類を示す端子記号１８が表示されている。
【００１４】
この押ボタンスイッチ１０の接続端子１６に配線を接続するための配線接続装置２０は絶縁樹脂で構成された絶縁接続体２０ａを備えている。
【００１５】
この絶縁接続体２０ａには、図２および図３に示すように、前端部に押ボタンスイッチ１０のフレーム１１の後端部に嵌り合う所定深さの嵌合穴２３が形成され、その内部に軸線方向に押ボタンスイッチ１０の接続端子１６が挿入可能なように、この端子１６と同じ配列で同数の貫通孔２１が設けられる（図２（ａ）参照）。この貫通孔２１に後端側から配線３０が、その先端に圧着端子４０を結合して挿入される。この貫通孔２１に挿入された圧着端子４０は、先端４２を嵌合穴２３の底壁２３ａに当接させ、側面に設けた弾性を有する切り起こし片４３を貫通孔２１に前端側から設けられた溝２２によって形成された係止段部２２ａに係止させて、貫通孔２１内に固定される。なお、貫通孔２１の押ボタンスイッチ１０の接続端子１６と向かい合う側の前端の開口２１ａは、接続端子１６が挿入可能なようにこの接続端子の断面形状に対応した形状に形成される。絶縁接続体２０ａの後端面には図２（ｃ）に示すように、押しボタンスイッチ１０の端子記号と同じ端子記号２８を表示して、配線の接続間違いが少なくなるように配慮されている。
【００１６】
また、絶縁接続体２０ａの外側面には、図３および図６に示すように、その前後端の方向（図の上下方向）の全長に亘って延びた１対のリブ状のアームからなる係合アーム２５が対向して配設されている。この係合アーム２５は、中間部より後端寄りに設けられた支持部２５ｃにより絶縁接続体２０ａに弾性的に一体に結合されている。この係合アーム２５の先端部には係止爪２５ａが設けられ、後端部には外側から内側へ押圧することにより係合アームをその前端部が外側へ開かれるように揺動させるための押圧部２５ｂが設けられている。さらに、絶縁接続体２０の嵌合穴２３の内周面に、押ボタンスイッチ１０との円周方向の結合位置を決めるための凸条２７が設けられている。
【００１７】
そして押ボタンスイッチ１０のフレーム１１の、絶縁接続体２０ａの連結される後端部の外周には絶縁接続体２０ａの位置合わせ凸条２７を受け入れる条溝１３（図１参照）と、係止爪２５ａの係合される凹所１２（図４参照）が設けられている。
【００１８】
このように構成された押ボタンスイッチ１０の接続端子１６へ配線３０を接続するためには、図１に示すように、絶縁接続体２０ａの後端側から貫通孔２１に予め先端に圧着端子４０を結合した配線３０を（図１参照）先端から挿入し、この貫通孔２１内に圧着端子を固定することにより、予め絶縁接続体２０ａに配線３０を装着する。
【００１９】
そして、図５に示すように、この図では配線３０の図示が省略されているが、絶縁接続体２０ａの前端側の嵌合穴２３を、押ボタンスイッチ１０のフレーム１１の後端部に嵌め合わせて絶縁接続体２０ａを押ボタンスイッチに１０に結合する。この嵌め合わせのとき、絶縁接続体２０ａの位置決め用の凸条２７と押ボタンスイッチのフレーム１１の条溝１３との位置を合わせて相互に嵌合させるようにする。これにより、接続端子１６がそれぞれ対応する絶縁接続体２０ａの貫通孔２１に挿入され、貫通孔内に固着された圧着端子４０と圧接し、接続端子１６に配線３０が接続される。
【００２０】
絶縁接続体２０ａを押ボタンスイッチ１０のフレーム１１に嵌め合わせるとき、絶縁接続体２０ａの係合アーム２５は弾性的に構成されているため、前端の係止爪２５ａが押ボタンスイッチ１０のフレーム１１によって押されて、係合アーム２５の先端部が外側に押し拡げられるので、絶縁接続体２０ａを容易にフレーム１１に押し込み、嵌め合わせることができる。そして、係止爪２５ａがフレーム１１の外周面の係合凹所１２の設けられた位置にきたところで、この凹所内に落ち込み、図５（ａ）に示すように係止爪２５ａが係合凹所１２に凹凸嵌合により係合し、絶縁接続体２０ａと押ボタンスイッチ１０との結合を強固する。
【００２１】
絶縁接続体２０ａと押ボタンスイッチ１０とを結合した図５（ａ）の状態において、絶縁接続体２０ａの外側に対向して設けられた１対の係合アーム２５の後端の押圧部２５ｂ間を指などで挟んで矢印で示すように内側に押圧すると、係合アーム２５は支持部２５ｃによって弾性的に支持されているので、図５（ｂ）に示すように、後端部が絶縁接続体２０ａとの隙間分だけ内側へ変位し、前端部が外側へ開くようになる。これにより、係合アーム２５の係止爪２５ａと押ボタンスイッチ１０の係合凹所１２との係合が外れるため、絶縁接続体２０ａを押ボタンスイッチ１０のフレーム１１から引き外すことができるようになる。押圧部２５ｂの押圧を解くと、係合アーム２５は支持部２５ｃ等の弾性力により図５（ａ）に示す元の位置に復帰する。
【００２２】
このようにこの発明においては、絶縁接続体２０ａを結合するために、絶縁接続体２０ａを、所定の位置に合わせて押ボタンスイッチ１０のフレーム１１に嵌め合わせて前方へ押し込むことにより、係合アーム２５が揺動して自動的に係止爪２５ａがフレーム１１に形成された係合凹所１２に凹凸嵌合により係合されるので、両者を強固に結合することができるとともに、押ボタンスイッチの接続端子１６に配線３０を絶縁接続体２０ａを介して接続することができる。
【００２３】
そして、結合された絶縁接続体を、押ボタンスイッチや、回路の保守点検のために、押ボタンスイッチ１０から外す場合は、係合を外すための特別な工具を使用することなく、係合アーム２５の後端の押圧部２５ｂを指等で内側に押圧操作するだけで、係合アーム２５の係止爪２５ａと押ボタンスイッチ１０のフレーム１１の係合凹所１２との係合を外すことができるので、絶縁接続体２０ａを押ボタンスイッチのフレーム１１から極めて容易に引き外すことができる。
【図面の簡単な説明】
【００２４】
【図１】この発明の実施例によるパネル取付機器と配線接続装置を後方から見た分解斜視図である。
【図２】この発明の実施例による配線接続装置の詳細な構成を示すもので、（ａ）はその前面を示す平面図、（ｂ）は、（ａ）におけるＡ−Ａ線の縦断面図、（ｃ）は、後面を示す平面図である。
【図３】図２（ａ）におけるＢ−Ｂ線の縦断面図である。
【図４】この発明の実施例の構成を示すもので、（ａ）は、パネル取付機器としての押ボタンスイッチの正面図、（ｂ）は、配線接続装置の正面図である。
【図５】この発明の実施例による配線接続装置の動作説明用の縦断面図である。
【図６】この発明の実施例による配線接続装置の構成を示す部分断面を含む斜視図である。
【図７】従来のパネル取付機器と配線接続装置を後方から見た分解斜視図である。
【符号の説明】
【００２５】
１０：押ボタンスイッチ（パネル取付機器）
１１：押ボタンスイッチのフレーム
１２：係合凹所
１３：条溝
２０：配線接続装置
２０ａ：絶縁接続体
２１：貫通孔
２３：嵌合穴
２５：係合アーム
２５ａ：係止爪
２５ｂ：押圧部
２７：凸条
３０：配線
４０：圧着端子
【図１】
2008300111.tif 000003
【図２】
2008300111.tif 000004
【図３】
2008300111.tif 000005
【図４】
2008300111.tif 000006
【図５】
2008300111.tif 000007
【図６】
2008300111.tif 000008
【図７】
2008300111.tif 000009